(57)【要約】【課題】ベース映像が表示された画面にスーパー映像が短時間に表示・非表示される際に生じる「ちらつき」を完全に防止する。【解決手段】このテレビ放送システムの番組運行装置２は、スイッチャー２４と、予め設定された放送運行情報に従ってスイッチャー２４のクロスポイントのオン・オフ制御を行う制御ユニット２５と、スイッチャー２４を通じて入力されたベース映像に、スーパー映像および・またはＢＢ信号を重畳して出力、または重畳停止して映像のみ出力することが可能な映像重畳ユニット２９と、スイッチャー２４から入力されたタリー信号の種別でスイッチャー２４のクロスポイントの状況を監視中、ＢＢ信号のクロスポイントがオンされた場合は映像重畳ユニット２９に重畳動作を停止させる一方、スーパー映像のクロスポイントがオンされた場合は、映像重畳ユニット２９に重畳動作を実行させる監視ユニット２６とを備える。【選択図】図１
2008236050.tif 000002
【特許請求の範囲】
【請求項１】
放送用のベース映像を出力するテレビリソース入力ユニットと、
前記ベース映像に重畳するためのブラックバースト信号を発生するテスト信号発生器と、
前記ベース映像に重畳するためのスーパー映像を発生するスーパー発生器と、
前記テレビリソース入力ユニットから出力された放送用のベース映像、前記テスト信号発生器により発生されたブラックバースト信号、およびスーパー発生器により発生されたスーパー映像をそれぞれ切り替えて伝送するための信号路に設けられた複数の切替点を有し、これら切替点がオン・オフ制御されることで前記各信号を伝送または遮断すると共に、前記各切替点のオン・オフ状況を示すタリー信号を出力する信号切替ユニットと、
予め設定された放送運行情報に従って前記切替点のオン・オフ制御を行う制御ユニットと、
前記信号切替ユニットを通じて入力された前記ベース映像に、前記スーパー映像および・または前記ブラックバースト信号を重畳して出力、または重畳停止して映像のみを出力することが可能な映像重畳ユニットと、
前記タリー信号の入力によって前記信号切替ユニットの切替点の状況を判定する中で、前記スーパー映像の切替点がオンした場合、前記映像重畳ユニットに重畳動作を実行させる一方、前記ブラックバースト信号の切替点がオンした場合、前記映像重畳ユニットに重畳動作を停止させる監視ユニットと
を具備することを特徴とする放送運行装置。
【請求項２】
前記監視ユニットは、
前記タリー信号の入力によって前記スーパー映像の切替点がオフされた場合、所定時間のディレイタイムを計時した後、前記タリー信号の入力状況を再度チェックし、前記スーパー映像の切替点の状況に変化がない場合、前記映像重畳ユニットの重畳動作を停止させることを特徴とする請求項１記載の放送運行装置。
【請求項３】
前記信号切替ユニットと前記映像重畳ユニットとの間に介挿して接続され、前記信号切替ユニットから前記映像重畳ユニットへ送出される前記スーパー映像およびブラックバースト信号を検出する信号検出ユニットをさらに備え、
前記監視ユニットは、
前記ディレイタイムを計時中に、前記信号検出ユニットによりスーパー映像の検出状況に変化が生じた場合、その時点から前記ディレイタイムを再計時することを特徴とする請求項１記載の放送運行装置。
【請求項４】
テレビリソース入力ユニットから出力される放送用のベース映像、テスト信号発生器からのブラックバースト信号、およびスーパー発生器からのスーパー映像をそれぞれ切り替えて伝送するための信号路に設けられた複数の切替点を有するスイッチャーと、前記スイッチャーを通じて入力された前記ベース映像に、前記スーパー映像および・または前記ブラックバースト信号を重畳して出力、または重畳停止して映像のみ出力することが可能な映像重畳ユニットとを備えた放送運行装置における放送運行方法において、
制御ユニットが予め設定された放送運行情報に従って前記スイッチャーの切替点をオン・オフ制御することで前記各信号路をそれぞれ導通または遮断するステップと、
前記各切替点がオン・オフされることで前記各切替点のオン・オフ状況を示すタリー信号を前記スイッチャーが監視ユニットへ出力するステップと、
前記タリー信号の入力により前記監視ユニットが前記スイッチャーの切替点の状況を判定する中で、前記スーパー映像の切替点がオンされた場合、前記映像重畳ユニットに重畳動作を実行させる一方、前記ブラックバースト信号の切替点がオンされた場合、前記映像重畳ユニットに重畳動作を停止させるステップと
を有することを特徴とする放送運行方法。
【請求項５】
前記タリー信号の入力によって前記スーパー映像の切替点がオフされた場合、前記監視ユニットは、所定時間のディレイタイムを計時した後、前記タリー信号の入力状況を再度チェックし、前記スーパー映像の切替点の状況に変化がない場合、前記映像重畳ユニットの重畳動作を停止させることを特徴とする請求項４記載の放送運行方法。
【請求項６】
前記ディレイタイムを計時中に、前記信号切替ユニットと前記映像重畳ユニットとの間に介挿して接続された信号検出ユニットによりスーパー映像の検出状況に変化が生じた場合、前記監視ユニットは、その時点から前記ディレイタイムを再計時することを特徴とする請求項４記載の放送運行方法。
【発明の詳細な説明】
【技術分野】
【０００１】
本発明は、例えば、天気マーク、時計マーク、解説マーク、字幕マーク、二カ国語マークなどのスーパー映像の表示・非表示を切り替えることが可能な放送運行装置および放送運行方法に関する。
【背景技術】
【０００２】
従来のテレビ放送は、上位の放送局から送られた放送信号を各地のローカル局が中継することで各家庭でテレビ番組が見られるようになっている。
【０００３】
ローカル局では、地域への情報提供サービスの一環として、上位の放送局から送られた番組の画面に、地域毎の天気予報マークや字幕スーパーなどのスーパー映像を上のせすることがある。
【０００４】
ところで、上位の放送局でも番組の画面に、スーパー映像を上のせすることは常に行われることから、両方のスーパーが、同じ時間帯に、画面上の同じ位置に表示された場合、互いのスーパーが重なってしまい、視聴し難くなることがある。
【０００５】
そこで、最近では、スーパーの重なりを自動的に検出する技術が提案されている（例えば特許文献１参照）。この文献１には天気予報マークがＯＦＦになった時点から数秒間保持し続けることの記載もある。
【特許文献１】特開平６−１７８２０５号公報
【発明の開示】
【発明が解決しようとする課題】
【０００６】
上記先行技術の場合、天気予報マークがＯＦＦになった時点から数秒間保持し続けることの記載があるものの、その後、他のマークがＯＮになった場合は、天気予報マークのＯＦＦと他のマークがＯＮが短時間に起こり、画面の「ちらつき」が同様に発生してしまうため、「ちらつき」が完全に改善されるわけではない。
【０００７】
本発明はこのような課題を解決するためになされたもので、ベース映像が表示された画面にスーパー映像が短時間に表示・非表示される際に生じる「ちらつき」を完全に防止することができる放送運行装置および放送運行方法を提供することを目的とする。
【課題を解決するための手段】
【０００８】
上記の課題を解決するために本発明の放送運行装置は、放送用のベース映像を出力するテレビリソース入力ユニットと、前記ベース映像に重畳されるブラックバースト信号を発生するテスト信号発生器と、前記ベース映像に重畳されるスーパー映像を発生するスーパー発生器と、前記テレビリソース入力ユニットから出力された放送用のベース映像、前記テスト信号発生器により発生されたブラックバースト信号、およびスーパー発生器により発生されたスーパー映像をそれぞれ切り替えて伝送するための信号路に設けられた複数の切替点を有し、これら切替点がオン・オフ制御されることで前記各信号を伝送または遮断すると共に、前記各切替点のオン・オフ状況を示すタリー信号を出力する信号切替ユニットと、予め設定された放送運行情報に従って前記切替点のオン・オフ制御を行う制御ユニットと、前記信号切替ユニットを通じて入力された前記ベース映像に、前記スーパー映像および・または前記ブラックバースト信号を重畳して出力、または重畳停止して映像のみを出力することが可能な映像重畳ユニットと、前記タリー信号の入力によって前記信号切替ユニットの切替点の状況を判定する中で、前記スーパー映像の切替点がオンした場合、前記映像重畳ユニットに重畳動作を実行させる一方、前記ブラックバースト信号の切替点がオンした場合、前記映像重畳ユニットに重畳動作を停止させる監視ユニットとを具備することを特徴とする。
【０００９】
本発明の放送運行方法は、テレビリソース入力ユニットから出力される放送用のベース映像、テスト信号発生器からのブラックバースト信号、およびスーパー発生器からのスーパー映像をそれぞれ切り替えて伝送するための信号路に設けられた複数の切替点を有するスイッチャーと、前記スイッチャーを通じて入力された前記ベース映像に、前記スーパー映像および・または前記ブラックバースト信号を重畳して出力、または重畳停止して映像のみ出力することが可能な映像重畳ユニットとを備えた放送運行装置における放送運行方法において、制御ユニットが予め設定された放送運行情報に従って前記スイッチャーの切替点をオン・オフ制御することで前記各信号路をそれぞれ導通または遮断するステップと、前記各切替点がオン・オフされることで前記各切替点のオン・オフ状況を示すタリー信号を前記スイッチャーが監視ユニットへ出力するステップと、前記タリー信号の入力により前記監視ユニットが前記スイッチャーの切替点の状況を判定する中で、前記スーパー映像の切替点がオンされた場合、前記映像重畳ユニットに重畳動作を実行させる一方、前記ブラックバースト信号の切替点がオンされた場合、前記映像重畳ユニットに重畳動作を停止させるステップとを有することを特徴とする。
【発明の効果】
【００１０】
本発明によれば、ベース映像が表示された画面にスーパー映像が短時間に表示・非表示される際に生じる「ちらつき」を完全に防止することができる。
【発明を実施するための最良の形態】
【００１１】
以下、本発明の実施の形態について図面を参照しながら説明する。図１は本発明の実施形態に係るテレビ放送システムの構成を示すブロック図である。
【００１２】
図１に示すように、このテレビ放送システムは、番組運行装置２と送信装置３とを備える。番組運行装置２と送信装置３とはローカルエリアネットワーク（以下「ＬＡＮ」と称す）等で接続されている。
【００１３】
送信装置３は、番組運行装置２から入力された放送用の映像信号を電波に載せて送信する装置である。
【００１４】
番組運行装置２は、テレビリソース入力ユニット２１、スーパー発生器２２ａ，２２ｂ、テスト信号発生器２３、信号切替ユニットとしてのスイッチャー２４、制御ユニット２５、監視ユニット２６、信号検出ユニットとしての論理和回路２７（以下「ＮＡＭ２７」と称す）、映像重畳ユニット２９を有するテレビ自動ビデオスイッチャー２８、オフスキュータイマー３０等を備えている。
【００１５】
テレビリソース入力ユニット２１は、例えばビデオカメラなどであり、番組を構成する一つの番組素材としての放送用の映像信号（以下「ベース映像Ｖ」と称す）および音声信号Ｓをスイッチャー２４へ出力する。
【００１６】
スーパー発生器２２ａは、ベース映像Ｖに重畳すべきスーパー映像、例えば天気マーク等を発生しスイッチャー２４へ出力する。スーパー発生器２２ｂは、例えば時計マーク等のスーパー映像を発生しスイッチャー２４へ出力する。この他、スーパーとしては、例えば解説マーク、字幕マーク、二カ国語マーク等のように、さまざまなマークがある。
【００１７】
テスト信号発生器２３は、ベース映像Ｖに重畳される映像信号、例えばブラックバースト信号（以下「ＢＢ信号」と称す）、ＨＤカラーバー等のテスト信号を発生し、スイッチャー２４へ出力する。ベース映像Ｖにスーパー映像やＢＢ信号を重畳することを「上乗せ」という。
【００１８】
ＢＢ信号は、通常、ベース映像Ｖに重畳される黒映像であり、黒色の映像のためベース映像Ｖに重畳されてもベース映像Ｖがそのまま表示されるので通常状態では放映に害はない。ＨＤカラーバーは、放送終了後の夜間時間帯等に流される複数色の色映像である。
【００１９】
スイッチャー２４は、テレビリソース入力ユニット２１から映像重畳ユニット２９へ伝送されるベース映像Ｖ、テスト信号発生器２３からのＢＢ信号、およびスーパー発生器２２ａ，２２ｂからのスーパー映像（天気マーク、時計マーク等）を伝送するための信号路にそれぞれ設けられた複数の切替点（以下「クロスポイントと称す」）を有しており、これらクロスポイントが制御ユニット２５によってオン・オフ制御されることで各信号路をそれぞれ導通または遮断する。信号路は、スイッチャー２４内でマトリクス状に設けられている。図１では、制御ユニット２５によってオンされたクロスポイントが円（実線）で示されている。
【００２０】
スイッチャー２４は、各クロスポイントのオン・オフ状況を示すタリー信号を監視ユニット２６へ出力する。制御ユニット２５は、予め設定された放送運行情報に従って各クロスポイントのオン・オフ制御を行う。
【００２１】
ＮＡＭ２７は、スイッチャー２４から映像重畳ユニット２９への信号路上に配置されている。ＮＡＭ２７は、スイッチャー２４から映像重畳ユニット２９へ送出されるスーパー映像（天気マーク、時計マーク等）およびＢＢ信号等のベース映像Ｖへの重畳対象の各信号を検出する信号検出ユニットとして機能する。
【００２２】
映像重畳ユニット２９は、スイッチャー２４を通じて入力されたベース映像Ｖに、スーパー映像（天気マーク、時計マーク等）および・またはＢＢ信号を重畳して出力することが可能である。
【００２３】
また、映像重畳ユニット２９は、スーパー映像（天気マーク、時計マーク等）をベース映像Ｖに重畳することを停止してベース映像Ｖのみ出力することが可能である。
【００２４】
監視ユニット２６は、スイッチャー２４から入力されたタリー信号によりスイッチャー２４の切替点の状況を監視する。また監視ユニット２６は、ＮＡＭ２７によるスーパー映像（天気マーク、時計マーク等）やＢＢ信号の検出を監視する。
【００２５】
上記スイッチャー２４とＮＡＭ２７のそれぞれの状況を監視中に、スイッチャー２４からのタリー信号によってスーパー映像（天気マーク、時計マーク等）の信号路のクロスポイントがオンされたことが検出された場合、監視ユニット２６は、映像重畳ユニット２９に対して重畳オンを指示し、スーパー映像（天気マーク、時計マーク等）の重畳動作を実行させる。
【００２６】
一方、スイッチャー２４からのタリー信号によってＢＢ信号の伝送路のクロスポイントがオンされた場合、監視ユニット２６は、映像重畳ユニット２９に対して重畳オフを指示し、ＢＢ信号の重畳動作を停止させる。
【００２７】
オフスキュータイマー３０は、監視ユニット２６からの開始の指示によってタイマー動作を開始し、一定のスキュー期間の計時を終えタイムアップすると、それを監視ユニット２６に通知する。すなわち、オフスキュータイマー３０は、所定のディレイタイムを計時するためのタイマーである。一定のスキュー期間としては、番組の映像を表示している画面でスーパー映像が点消灯を繰り替えしても目障りにならない時間、例えば２〜３秒かそれ以上の時間が好ましい。
【００２８】
監視ユニット２６は、タリー信号の入力によってスーパー映像のクロスポイントがオフされたことが検出された場合、一定のスキュー期間を計時した後、タリー信号の入力状況を再度チェックし、スーパー映像のクロスポイントの状況に変化がない場合、映像重畳ユニット２９の重畳動作を停止させる。
【００２９】
ＮＡＭ２７にスーパー映像（天気マーク、時計マーク等）が一つでも入力された場合、ＮＡＭ２７から検出信号が監視ユニット２６に受信されるので、監視ユニット２６は、映像重畳ユニット２９に対して重畳動作を継続させる一方、スーパー映像（天気マーク、時計マーク等）のうちの一つが検出されなくなった場合、オフスキュータイマー３０を動作させて所定時間のディレイタイムをとった後、オフスキュータイマー３０からのタイムアップ通知を受けてタリー信号の入力状況を再度チェックする。
【００３０】
監視ユニット２６は、タイムアップ後、タリー信号の入力状況を再度チェックした結果、タリー信号の入力がなくスーパー映像のクロスポイントの状況に変化がない場合、映像重畳ユニット２９の重畳動作を停止させる。
【００３１】
以下、図２を参照してこのテレビ放送システムの動作を説明する。このテレビ放送システムの場合、制御ユニット２５が、予め設定された放送運行情報に従ってスイッチャー２４の各クロスポイントのオン・オフ制御を行い、例えばスーパー発生器２２ｂによって発生された天気スーパーが、スイッチャーおよびＮＡＭ２７を介して映像重畳ユニット２９に入力されて、同時にスイッチャー２４から入力されたベース映像Ｖに重畳されて映像信号として出力されているものとする。
【００３２】
その後、制御ユニット２５が、あるタイミングで、スイッチャー２４の天気スーパーのクロスポイントをオフ制御すると（図２のステップＳ１０１）、スイッチャー２４の該当クロスポイントがオフに切り替えられる（ステップＳ１０２）。
【００３３】
クロスポイントがオフされた時点で、スイッチャー２４からの天気マークの出力が停止されるため、映像重畳ユニット２９ではスーパー映像の重畳処理は続いているものの出力映像としては、スーパー無しとなる（ステップＳ１０３：点線矢印）。
【００３４】
スイッチャー２４は、クロスポイントがオフに切り替えられると同時に、該当クロスポイントのオフタリー信号を監視ユニット２６へ出力する（ステップＳ１０４）。
【００３５】
監視ユニット２６は、入力されたタリー信号がオフタリー信号かオンタリー信号かを判定する（ステップＳ１０５）。
入力されたタリー信号がオフタリー信号であれば、オフスキュータイマー３０にタイマー動作の開始を指示する制御コマンドを出して、タイマー動作を開始させる（ステップＳ１０６）。監視ユニット２６は、タイマー動作開始からタイムアップまでの期間、つまりスキュー期間、待機する。
【００３６】
オフスキュータイマー３０は、例えば２〜３秒程度のオフュー期間を計時した後、タイムアップ通知を監視ユニット２６へ返信するので、タイムアップ通知を受け取った監視ユニット２６は、この時点で、他に、タリー信号やＮＡＭ２７からの検出信号が受信されているかどうかを再判定する（ステップＳ１１４）。
【００３７】
上記スキュー期間中に、制御ユニット２５により例えば時計スーパーのクロスポイントがオンされて（ステップＳ１１０）、クロスポイントがオンに切り替えられると（ステップＳ１１１）、スイッチャー２４に入力された時計スーパーが、該当クロスポイントおよびＮＡＭ２７を通じて映像重畳ユニット２９に入力される。映像重畳ユニット２９は、重畳動作を行っているため、ベース映像Ｖに時計スーパーが重畳された映像が出力される（ステップＳ１１２：点線矢印）。
【００３８】
また、スイッチャー２４のクロスポイントがオンに切り替えられると、該当クロスポイントのオンタリー信号が監視ユニット２６に入力されるので、監視ユニット２６は、入力されたタリー信号がオンタリー信号の場合（ステップＳ１１３）、映像重畳ユニット２９重畳動作をそのまま継続させる。
なお、オフタリー信号が入力された場合、監視ユニット２６は、その時点から再度オフスキュータイマー３０にタイマー動作の開始を指示する制御コマンドを発行して、タイマー動作を開始させる。
【００３９】
一方、スキュー期間中に、タリー信号やＮＡＭ２７からの検出信号が受信されないままオフスキュータイマー３０がタイムアップすると、監視ユニット２６は、判定により、ベース映像Ｖへのスーパー映像の重畳動作を停止するためのコマンド（重畳オフコマンド）を映像重畳ユニット２９へ出力する（ステップＳ１１５）。
【００４０】
映像重畳ユニット２９は、この重畳オフコマンドの入力によりベース映像Ｖへのスーパー映像の重畳動作を停止する。これにより、ベース映像Ｖからスーパー映像（天気マーク）が消される。
【００４１】
このようにこの実施形態のテレビ放送システムによれば、制御ユニット２５とは別に、スイッチャー２４とＮＡＭ２７を監視して映像重畳ユニット２９の重畳動作を実行または停止する監視ユニット２６を設けたので、スイッチャー２４のＢＢ信号のクロスポイントがオンされた場合に重畳動作を停止し、それ以外のスーパー映像（天気マーク、時計マーク等）のクロスポイントがオンされた場合に、映像重畳ユニット２９の重畳動作を実行させるよう制御することで、例えば黒色のはずのＢＢ信号が、誤操作等により黄色信号として出力された場合でもそのＢＢ信号はベース映像Ｖには重畳されないため、ベース映像が黄色に染まるなどといった不具合を防止することができる。
【００４２】
また、監視ユニット２６は、スイッチャー２４からオフタリー信号が受信されたときだけ、オフスキュータイマー３０により一定のスキュー期間（２〜３秒程度）が計時されるのを待機した後、その時点でスイッチャー２４のオン・オフ状況の再判定を行い、この再判定の結果、スキュー期間中に、タリー信号の新たな入力やＮＡＭ２７からの新たな検出信号の入力がなければ、映像重畳ユニット２９の重畳動作を停止させるので、スイッチャー２４のクロスポイントのオン・オフが短時間に繰り返された場合でも、スーパー映像が付いたり消えたりする、いわゆる「ちらつき」の発生が抑えられ、番組の映像が見難くなることがなくなる。
【００４３】
なお、本願発明は、上記実施形態のみに限定されるものではなく、実施段階ではその要旨を逸脱しない範囲で構成要素を変形してもよい。また、上記実施形態に開示されている複数の構成要素を適宜組み合わせることにより、種々の発明を構成できる。
【００４４】
例えば、実施形態に示される全構成要素から幾つかの構成要素を削除してもよい。さらに、異なる実施形態にわたる構成要素を適宜組み合わせてもよい。
【図面の簡単な説明】
【００４５】
【図１】本発明の一実施形態のテレビ放送システムの構成を示す図である。
【図２】テレビ放送システムの動作を示すシーケンス図である。
【符号の説明】
【００４６】
２…番組運行装置、３…送信装置、２１…テレビリソース入力ユニット、２２ａ，２２ｂ…スーパー発生器、２３…テスト信号発生器、２４…スイッチャー、２５…制御ユニット、２６…監視ユニット、２７…論理和回路（ＮＡＭ）、２８…テレビ自動ビデオスイッチャー、２９…映像重畳ユニット、３０…オフスキュータイマー。
【図１】
2008236050.tif 000003
【図２】
2008236050.tif 000004